(57)【特許請求の範囲】
【請求項１】
リーリング時に、本体軸方向に水中移動するルアー本体と、当該ルアー本体に取り付られて前記ルアー本体が水中移動するときに魚をおびき寄せるルアー機能を有する弾性条体である付属部材を備えたルアー仕掛けにおいて、前記ルアー本体は前記本体軸方向と直交方向に貫通させた貫通穴を有し、当該貫通穴に前記付属部材を挿入して固定し、前記貫通穴の開口端部から前記付属部材の端部を突出させ、
前記貫通穴の開口端部の穴径が前記貫通穴中央部の穴径より大径になるよう前記貫通穴の開口端部内面を拡径穴面にし、
前記拡径穴面の穴中心を前記貫通穴中央部に対し偏心させたことを特徴とするルアー仕掛け。
【請求項２】
前記ルアー本体がシングルフックのシャンク部基端に固定したオモリであり、このオモリに、前記シングルフックの屈曲する平面と直交する方向に貫通させて前記貫通穴を形成したことを特徴とする請求項１に記載のルアー仕掛け。
【発明の詳細な説明】
【技術分野】
【０００１】
本発明は、ルアーフィッシングに使用されるルアー仕掛けに関する。
【背景技術】
【０００２】
ルアー仕掛けは、水中で魚をおびき出す動きをするように製作される。ルアー仕掛けを使用する釣り人は、ルアー仕掛けが水中で効果的に魚をおびき寄せるようにリーリングするなどの釣りテクニックが要求される。このようなルアー仕掛けは、対象となる魚の種類に応じた様々な種類のルアー本体を備える。
【０００３】
ルアー仕掛けのルアー本体は、単品で魚をおびき寄せるルアー機能を有するプラグやスプーン、スピナー、疑似餌が一般的である。また、例えば、オモリに水中で泳動するラバー房を取り付けてルアー機能を持たせたルアー本体がある（例えば、特許文献１参照）。さらに、シングルフックとオモリを一体化したジグヘッドのオモリにラバー房を取り付けてルアー機能を持たせたルアー本体がある（例えば、特許文献２参照）。
【特許文献１】特開２００７−１２９９９９号公報（図１）
【特許文献２】登録実用新案第３０７１０８５号
【発明の開示】
【発明が解決しようとする課題】
【０００４】
ルアーフィッシングは、水中でルアー仕掛けをリーリングしてルアー本体で魚をおびき寄せ、フックにヒットさせる。そのため、ルアーフィッシングは、ルアー仕掛け自体に魚をおびき寄せるルアー機能のより高いものが要求される。また、ルアー仕掛けは、リーリング時に水中の底などの障害物に引っ掛かる根がかりが生じ易い。さらに、ルアー仕掛けを水中の底に沈めて底釣りする場合も、ルアー仕掛けが根がかりし易い。このような根がかり発生を少なくする工夫として、ルアー本体に根がかり抑制用付属部材を取り付けることが行われている。例えば、ルアー本体の周囲にラバー房を放射状に取り付け、ラバー房でルアー本体やフックが障害物に接触するのを抑制することが行われている。また、ラバー房は、リーリング時に水中で泳動して魚をおびき寄せるルアー効果を兼備する。
【０００５】
上記ラバー房のようなルアー本体根がかり抑制用付属部材は、ルアー本体の外面に直接に接着剤で固定したり、ルアー本体に糸で縛り付けて取り付けている。また、上記特許文献１と特許文献２のように、ルアー本体根がかり抑制用付属部材がラバー房の場合は、多数本のラバー糸の片端部を束ねた糸束ね部をルアー本体の外面にピン止め式や嵌め込み式に取り付けている。しかし、このようなラバー房などの付属部材の取付構造は、取付強度的に安定せず、ルアー本体を水中で複雑にリーリングさせると取付強度が低下し易い。また、多数本のラバー糸を束ねて房状にしたラバー房の場合は、糸束ね部からラバー糸が抜け落ちることがあり、抜け落ちる本数が増えると根がかり抑制効果やルアー効果が急激に低下する不具合があった。
【０００６】
本発明は、かかる実情に鑑みてなされたもので、その目的とするところは、ルアー本体にルアー機能やルアー本体根がかり抑制機能に優れた付属部材を安定した取付強度で取り付けたルアー仕掛けを提供することにある。
【課題を解決するための手段】
【０００７】
本発明の上記目的を達成する技術的手段は、リーリング時に、本体軸方向に水中移動するルアー本体１０と、ルアー本体１０に取付られてルアー本体１０が水中移動するときに魚をおびき寄せるルアー機能を有する付属部材２０を備えたルアー仕掛けにおいて、ルアー本体１０は本体軸方向と直交方向に貫通させた貫通穴１１を有し、貫通穴１１に付属部材２０を挿入して固定し、貫通穴１１の開口端部から付属部材２０の端部を突出させる。
【０００８】
ここで、ルアー本体１０は、水中でのリーリング時に魚をおびき寄せるルアー効果を有するもので、オモリタイプやプラグタイプ、疑似餌タイプなどの複数タイプのものが適用できる。ルアー本体１０の任意の一箇所、或いは、離隔した複数箇所に貫通穴１１を形成して、貫通穴１１に付属部材２０の中央部を挿入する。貫通穴１１は円形穴が加工し易いが、矩形穴や楕円穴であってもよい。付属部材２０は、水中でリーリングさせると泳動して魚をおびき寄せるルアー効果を有する弾性部材である。弾性部材の付属部材２０は、多数本のラバー糸からなるラバー房タイプや、細長いワームタイプが適用でき、この付属部材２０は、ルアー本体１０の貫通穴１１に中央部が固定されて、両端部がルアー本体１０から１８０°反対方向に突出する。このような付属部材２０の両端部は、ルアー本体根がかり抑制の作用をする長さで、かつ、適度な弾性を有する材質に設計することができる。
【０００９】
本発明においては、ルアー本体１０に形成した貫通穴１１の開口端部の穴径が貫通穴中央部の穴径より大径になるよう貫通穴１１の開口端部内面を拡径穴面にすることができる。この場合、拡径穴面の穴中心を貫通穴中央部に対して偏心させることができる。
【００１０】
貫通穴１１の開口端部内面を拡径穴面にした場合、複数本の弾性条体を挿入すると、貫通穴１１の開口端部から突出した弾性条体の端部が貫通穴１１の開口端部内面の拡径穴面にガイドされて放射状に広がる。このように、貫通穴１１の開口端部内面を拡径穴面にして、弾性条体の端部を放射状にの突出させることにより、弾性条体の取付強度が安定し、突出させた両端部の形状が安定し、弾性条体からなる付属部材２０によるルアー効果や根がかり抑制効果が安定する。
【００１１】
また、付属部材２０が貫通穴１１の開口端部に取り付けた第１目玉部品を含むものとすることができる。ここでの第１目玉部品は、小魚の目玉に似せた小形部品で、弾性条体と共にルアー本体１０のルアー機能を高める。
【００１２】
また、付属部材２０はケミカルライト部品とすることもできる。このケミカルライト部品は、折り曲げたり変形させたりすることによって化学発光または化学蓄光するようにした棒状その他の任意形状の小形部品で、夜釣り用の浮きとしても利用される市販品が適用できる。例えば、ルミカライト（登録商標）やケミホタル（登録商標）の名称で市販されている。
【００１３】
さらに、付属部材２０がケミカルライト部品の端部に取り付けた第２目玉部品を含むものとすることができる。ここでの第２目玉部品は、ケミカルライト部品の発光効果を助長する透光性部品が望ましい。
【００１４】
また、本発明においては、ルアー本体１０がオモリであること、また、オモリがシングルフックと一体のジグヘッドであること、とすることができる。ルアー本体１０がジグヘッドとした場合、オモリにシングルフックの屈曲する平面と直交する方向に貫通させて貫通穴１１を形成することができる。
【００１５】
また、ルアー本体１０が疑似餌で、この疑似餌の横切るように貫通穴１１を形成することができる。
【発明の効果】
【００１６】
本発明のルアー仕掛けによれば、ルアー本体の貫通穴に付属部材を挿入して、付属部材の中央部を貫通穴内に固定し、付属部材の端部を貫通穴の開口端部から突出させたので、ルアー本体への付属部材の取付強度が高く安定し、付属部材がラバー糸のような弾性条体や棒状のケミカルライト部品であっても抜け落ちが無くなり、ルアー機能やルアー仕掛けの品質が向上するという優れた効果を奏し得る。
【発明を実施するための最良の形態】
【００１７】
以下、本発明の実施の形態を図を参照して説明する。なお、全図を通じて同一または相当部分には同一符号を付して、説明の重複を避ける。
【００１８】
図１および図２に示すルアー仕掛け１は、ジグヘッドタイプのルアー本体１０を有する。ルアー本体１０は、図３に示すようなシングルフック１２のシャンク部基端に固定した球形のオモリ（ヘッド）１３である。このオモリ１３の一箇所に、図４に示すように、直径方向に貫通穴１１を形成する。貫通穴１１に、貫通穴１１より十分に長い付属部材２０を挿入し、付属部材２０の両端部を貫通穴１１の両端開口から突出させる。図１に示す付属部材２０は、多数本の弾性条体２１である。多数本の弾性条体２１は、例えば同一長さのラバー糸である。
【００１９】
ルアー本体１０であるオモリ１３における貫通穴１１の貫通方向は、シングルフック１２の鉤針状に屈曲するゲイプ部の平面と直交する方向である。貫通穴１１は円形穴で、図４に示すように、両端開口の穴径Ｄ１が貫通穴中央部の穴径Ｄ２より大きく設定される。例えば、オモリ１３に直径方向にストレートな円形穴を貫通させて形成してから、この貫通穴の両端開口部内周エッジを面取り加工して、Ｄ１＞Ｄ２にすると共に、貫通穴１１の両端開口端部内面を円錐状の拡径穴面ｎにする。
【００２０】
図５に示すように、オモリ１３の貫通穴１１の両端開口の一方から他方に向けて多数本の弾性条体２１の束を挿入する。多数本の弾性条体２１を束ねて引き伸ばすと細くなるので、この細くした先端部を貫通穴１１に挿入する。多数本の弾性条体２１の中央部が貫通穴１１を貫通したところで、引き伸ばしを止めると弾性条体２１の中央部が復元して、貫通穴１１を弾圧する。この弾圧力で弾性条体２１の中央部が貫通穴１１に強固にして安定した取付強度で固定される。貫通穴１１に貫通させて取り付けた多数本の弾性条体２１の両端部２１ａ、２１ｂは、貫通穴１１の両端開口から拡径穴面ｎにガイドされるようにして放射状に突出する。
【００２１】
図１と図２は、ルアー仕掛け１で底釣りするときの使用時を示す。なお、鎖線で示す３は、シングルフック１２に掛けたワームである。オモリ１３から突出させたアイ１２’にライン２を繋留して、ルアー仕掛け１を水中に投入すると、オモリ１３の両側方に突出する弾性条体２１の両端部２１ａ、２１ｂがゆらゆらと泳動してルアー仕掛け１の姿勢を安定させ、ルアー仕掛け１が水中の底４に達すると、弾性条体２１の両端部２１ａ、２１ｂが底４へと放射状に拡がり、シングルフック１２のゲイプ部を立てるように姿勢規制する。このようなルアー仕掛け１を底４の近くでリーリングすると、弾性部材両端部２１ａ、２１ｂが水中で小魚のひれのように泳動して、魚をおびき寄せるルアー効果を発揮する。また、弾性部材両端部２１ａ、２１ｂがルアー本体１０であるオモリ１３とシングルフック１２が水中の障害物に根がかりするのを抑制する。特に、シングルフック１２は、弾性条体２１でゲイプ部が立つような姿勢規制を受けているので、尚更に根がかりがし難く、ルアー仕掛け１の根がかり抑制効果が大きい。
【００２２】
図６（Ａ）（Ｂ）は、貫通穴１１に対して拡径穴面ｎを所定方向に偏心させて形成している。図６（Ａ）に示すように、貫通穴１１の中央部の穴中心Ｐ１に対し拡径穴面ｎの穴中心Ｐ１を後方に偏心させて形成する。このようにすると、図６（Ｂ）の鎖線で示すように、貫通穴１１に挿入された弾性条体２１の拡がり方向が穴中心Ｐ１に対する穴中心Ｐ２の偏心方向に偏る。このような弾性条体２１の拡がり方向の規制、偏りは、上述した弾性条体２１のルアー機能、根がかり抑制機能を考慮して決めることができる。
【００２３】
次に、図７〜図２０に基づいて順に説明する。
【００２４】
図７に示すルアー仕掛け１は、図１のルアー本体１０の貫通穴１１を、図８に示すようにオモリ１３の外面とオモリ１３の外面からアーチ状に突設した線材１４とで形成している。線材１４で形成した貫通穴１１は、奥行きの短い穴ゆえに、弾性条体２１の取付作業が容易になる。また、オモリ１３に沿って弾性条体２１の両端部２１ａ、２１ｂが側方に突出するので、弾性条体２１の両端部２１ａ、２１ｂは図１のルアー仕掛けと同様な作用効果を発揮する。
【００２５】
図９に示すルアー仕掛け１は、ルアー本体１０が単品のオモリ１５で、このオモリ１５に貫通穴１１を形成して、貫通穴１１に付属部材２０である弾性条体２１を貫通させて固定する。単品のオモリ１５は例えば球形で、その直径方向に貫通穴１１を形成する。オモリ１５に突設したアイ１５’をライン３０に引っ掛けてリーリングすると、弾性条体２１の両端部２１ａ、２１ｂが水中で泳動して、単品のオモリ１５にルアー効果をもたらす。このような単品のオモリ１５をルアー本体１０としたルアー仕掛けにおいては、オモリ１５のサイズ、形状（楕円形、円錐状、円盤状など）によって複数箇所に貫通穴を形成して、各貫通穴に付属部材を挿入して固定することもできる。
【００２６】
図１０および図１１と、図１２および図１３に示すルアー仕掛け１は、疑似餌タイプのルアー本体１０に適用したものである。
【００２７】
図１０および図１１のルアー仕掛け１は、プラグタイプの疑似餌１６をルアー本体１０としている。この疑似餌１６は小魚に似せたプラグで、胸びれ付近の一部に疑似餌１６を横切るように貫通穴１１を形成し、この貫通穴１１に付属部材２０である弾性条体２１を貫通させ、その両端部２１ａ、２１ｂを疑似餌１６の両側方に突出させる。このルアー仕掛け１の場合も、疑似餌１６の頭部に突設したアイ１６’をライン３０に引っ掛けてリーリングすると、弾性条体２１の両端部２１ａ、２１ｂが水中で泳動して、疑似餌１６のルアー効果を増大させると共に、根がかりを抑制する。
【００２８】
図１２および図１３のルアー仕掛け１は、ワームタイプの疑似餌１７をルアー本体１０としている。疑似餌１７は小魚に似せたワームで、胸びれ付近の一部に疑似餌１７を横切るように貫通穴１１を形成している。軟質のワームに形成する貫通穴１１は弾性を有し、貫通穴１１に付属部材２０である弾性条体２１を挿入する作業が容易になる。このルアー仕掛け１の場合も、ワームの疑似餌１７をシングルフック３２に掛け、シングルフック３２をライン２でリーリングすると、ワームである疑似餌１７の両側方に突出する弾性条体２１の両端部２１ａ、２１ｂが水中で泳動して、疑似餌１７のルアー効果を増大させると共に、根がかりを抑制する。
【００２９】
図１４（Ａ）（Ｂ）に示すルアー仕掛け１は、図１０と同様なプラグタイプの疑似餌１６をルアー本体１０としている。この疑似餌１６の目玉部分に貫通穴１１を形成し、貫通穴１１に弾性条体２１と第１目玉部品２２からなる付属部材２０が取り付けられる。貫通穴１１に弾性条体２１を挿入し、貫通穴１１の両端開口部にこの開口部から突出する弾性条体２１を掻き分けるようにして一対の第１目玉部品２２を圧入して固定する。第１目玉部品２２は、図１４（Ｂ）に示すような差込片２２’を一体に有し、差込片２２’を弾性条体２１に差し込むことにより貫通穴１１の両端開口部に小魚の目玉に似せて取り付けられる。弾性条体２１と第１目玉部品２２で構成された付属部材２０のルアー機能は、弾性条体２１と第１目玉部品２２それぞれのルアー機能の相乗効果が期待できる。
【００３０】
図１５および図１６（Ａ）（Ｂ）に示すルアー仕掛け１は、メタルジグタイプの疑似餌１８をルアー本体１０としている。この疑似餌１８の目玉部分に貫通穴１１を形成し、貫通穴１１に棒状のケミカルライト部品２３と第２目玉部品２４からなる付属部材２０を取り付ける。ケミカルライト部品２３は、図１６（Ｂ）の鎖線で示すように折り曲げると化学発光する市販品が適用できる。ケミカルライト部品２３を折り曲げて元の棒状に戻してから、疑似餌１８の貫通穴１１に挿入し、両端部を貫通穴１１の両端開口から突出させる。この突出両端部に環状の第２目玉部品２４を嵌着する。疑似餌１８の目玉部分にケミカルライト部品２３の両端が露呈して発光することで、ルアー機能が増大する。第２目玉部品２４に透光性樹脂製品を使用することで、ケミカルライト部品２３の発光によるルアー機能がより効果的に発揮される。
【００３１】
なお、本発明は、上記した実施の形態に限定されるものではなく、本発明の要旨を逸脱しない範囲内において種々変更を加え得ることは勿論である。
【００３２】
例えば、図１〜図１４に関連して上述した実施の形態では、付属部材２０を構成する弾性条体２１として、同一長さの多数本のラバー糸を例示したが、長さの異なるラバー糸を使用してもよい。また、ばらばらの多数本の条体をそのまま使用する他、図１７に示すように、多数本の弾性条体２１を棒状に直結した状態で使用することもできる。この場合、ルアー本体の貫通穴に挿入した後、貫通穴の開口端部から突出した部分を適当な角度で折り曲げて放射状等に拡開させる。また、図１８に示すように、ラバー、エラストマー、プラスチックその他の適当な材料でできたパイプ２５の両端部分に多数の切れ目２６を入れたものを採用することもできる。その場合、パイプ２５をルアー本体の貫通穴に挿入して中央部分で貫通穴と嵌合させる。そして、貫通穴の開口端部から突出した部分を材料の特性に応じて適当な角度に折り曲げて放射状等に拡開させた状態で使用する。或いは、図１９に示すように、軸部２７と、その端部の片側にだけ多数の条体２８を設けた付属部材２０を、ルアー本体の貫通穴の両側に別々に取り付けるようにしてもよい。さらには、弾性条体２１で構成される付属部材２０に代えて、図２０に示すように、ルアー本体の貫通穴に挿入するための軸部３１と、軸部３１の片端部に設けた鰓に似せた形状の弾性片３２から成る付属部材２０を、ルアー本体の貫通穴の両側に別々に取り付けて使用することもできる。
【図面の簡単な説明】
【００３３】
【図１】本発明の実施の形態を示すルアー仕掛け使用時での側面図である。
【図２】図１ルアー仕掛けの平面図である。
【図３】図１ルアー仕掛けにおけるルアー本体であるジグヘッドの側面図である。
【図４】図３Ｔ１−Ｔ１線の拡大断面図である。
【図５】図４のオモリに付属部材の弾性条体の取付時の断面図である。
【図６】（Ａ）は実施の形態を示すルアー本体の側面図、（Ｂ）はＴ２−Ｔ２線の断面図である。
【図７】他の形態を示すルアー仕掛けの平面図である。
【図８】図７ルアー仕掛けにおけるルアー本体の側面図である。
【図９】他の形態を示すルアー仕掛けの使用時の側面図である。
【図１０】他の形態を示すルアー仕掛けの側面図である。
【図１１】図１０ルアー仕掛けの平面図である。
【図１２】他の形態を示すルアー仕掛けの側面図である。
【図１３】図１２ルアー仕掛けの平面図である。
【図１４】（Ａ）は他の形態を示すルアー本体の側面図、（Ｂ）はルアー本体の部分拡大断面図である。
【図１５】他の形態を示すルアー仕掛けの側面図である。
【図１６】（Ａ）は図１５ルアー本体の部分拡大断面図、（Ｂ）は組立時の断面図である。
【図１７】他の形態を示す付属部材の正面図である。
【図１８】他の形態を示す付属部材の正面図である。
【図１９】他の形態を示す付属部材の正面図である。
【図２０】他の形態を示す付属部材の正面図である。
【符号の説明】
【００３４】
１０    ルアー本体
１１    貫通穴
ｎ    拡径穴面
１２    シングルフック
１３    オモリ
１４    線材
１５    オモリ
１６    疑似餌
１７    疑似餌
２０    付属部材
２１    弾性条体
２１ａ、２１ｂ    弾性部材両端部
２２    第１目玉部品
２３    ケミカルライト部品
２４    第２目玉部品
【図１】
0004949178.tif 000002
【図２】
0004949178.tif 000003
【図３】
0004949178.tif 000004
【図４】
0004949178.tif 000005
【図５】
0004949178.tif 000006
【図６】
0004949178.tif 000007
【図７】
0004949178.tif 000008
【図８】
0004949178.tif 000009
【図９】
0004949178.tif 000010
【図１０】
0004949178.tif 000011
【図１１】
0004949178.tif 000012
【図１２】
0004949178.tif 000013
【図１３】
0004949178.tif 000014
【図１４】
0004949178.tif 000015
【図１５】
0004949178.tif 000016
【図１６】
0004949178.tif 000017
【図１７】
0004949178.tif 000018
【図１８】
0004949178.tif 000019
【図１９】
0004949178.tif 000020
【図２０】
0004949178.tif 000021